(57)【要約】      （修正有）【課題】縦置きにも横置きにも可能で，簡単な構成で放熱効果をよくする。【解決手段】複数の放熱溝４ａと嵌合溝１０を有した筐体３と，前記筐体の底面に対向配置される支持部１６と，該支持部の両側端部より前記一対の側面４，５に沿うように立設し，その上端部に前記嵌合溝に係合及び案内される凸部１８を備えた衝立部１７とを有し，前記凸部を前記嵌合溝に係合することによって前記筐体に着脱自在に取り付け可能で，前記電子機器を卓上に縦置きに設置可能な支持部材１５と，から成リ，前記支持部は，前記衝立部の上下方向における中間位置に有って前記支持部の下部と設置面との間に第１の間隙Ｇ１を有する凹部１６ｂを形成すると共に，該支持部には支持部の上面と下面を貫通するように備えた１または複数の放熱溝１６ａを備える。そして，筐体の底面に形成された放熱溝と支持部に形成された放熱溝と第１の間隙を有する凹部とが連通する。【選択図】図１
2008311330.tif 000002
【特許請求の範囲】
【請求項１】
電子機器を収納し，該電子機器を縦置きにも横置きにも設置可能であるように構成された電子機器収納装置において，
少なくとも１対の側面とその上側に位置する上面とその下側に位置する底面のそれぞれに複数の放熱溝を有し，前記１対の側面のそれぞれには，該側面の上面と底面を結ぶ少なくとも一辺より，水平方向にそれぞれ同じ方向に向かって対向配置するように形成した嵌合溝を有した筐体と，
前記筐体の底面に対向配置される支持部と，該支持部の両側端部より前記一対の側面に沿うように立設し，その上端部に前記嵌合溝に係合及び案内される凸部を備えた衝立部とを有し，前記凸部を前記嵌合溝に係合することによって前記筐体に着脱自在に取り付け可能で，前記電子機器を卓上に縦置きに設置可能な支持部材と，
から成ることを特長とした電子機器収納装置。
【請求項２】
前記嵌合溝と少なくとも前記一対の側面に形成された放熱溝は略平行になるように形成したことを特長とした請求項１に記載の電子機器収納装置。
【請求項３】
前記支持部材を構成する支持部は，前記衝立部の上下方向における中間位置に有って前記支持部の下部と設置面との間に第１の間隙を有する凹部を形成すると共に，該支持部には支持部の上面と下面を貫通するように備えた１または複数の放熱穴若しくは放熱溝を有するように形成され，前記筐体の底面に形成された放熱溝と前記支持部に形成された放熱穴若しくは放熱溝と前記第１の間隙とが連通するように構成したことを特長とした請求項１または請求項２の何れか一項に記載の電子機器収納装置。
【請求項４】
前記１対の衝立部のそれぞれには，衝立部の長手方向における中間位置に，前記支持体の下面から衝立部の底面に至る第２の間隙を有する凹部を少なくとも１つ形成し，該第２の間隙は前記第１の間隙と連通するように構成したことを特長とした請求項３に記載の電子機器収納装置。
【請求項５】
前記電子機器を卓上に縦置きに設置する場合に，前記電子機器が安定して設置でき，且つ，前記筐体の底面に形成された放熱溝の一部若しくは何れもが前記支持部材を構成する前記支持部若しくは衝立部によって閉塞されないように，前記支持部材が前記筐体に対して決められた位置に正しく装着されたかどうかを判断するための位置決め嵌合手段が，前記嵌合溝と前記凸部に備えられていることを特長とした請求項３または請求項４の何れか一項に記載の電子機器収納装置。
【請求項６】
前記電子機器収納装置は，前記筐体と前記支持部材に加えて離隔部材を備えてなり，前記支持部材は，さらに衝立部の外側側面が，この外側側面の上側よりも下側の方が外側に突出する位置であって，前記１対の側面から所定寸法となるようにように傾斜しており，
前記離隔部材は，筐体の略中央部より上部に着脱自在に取り付け可能で，該離隔部材を取り付ける側面に対して直交する方向に，前記衝立部の下方における支持部材突出部の突出寸法と略等しい寸法の離隔部材突出部を備えたことを特長とした請求項１から請求項５の何れか一項に記載の電子機器収納装置。
【請求項７】
前記１対の側面の後方側に位置する後側面は，電子機器に取り付けられた電子機器の内部と外部を接続可能なＦ型接栓座を含む複数種類からなる端子が延在して露出するように構成されており，その配設位置は，前記電子機器収納装置が縦置きに設置された場合に，前記Ｆ型接栓座を含む複数種類からなる端子が電子機器収納装置の略中央部より下方に位置するように配設されており，更には，前記Ｆ型接栓座が，前記複数種類からなる端子の内でも最も下方位置であって，しかも，前記電子機器収納装置の下方端部から露出するように配設したことを特長とした請求項１から請求項６の何れか一項に記載の電子機器収納装置。
【請求項８】
電子機器収納装置の内部に収納された電子機器であって，該電子機器の内部と外部を接続可能なＦ型接栓座を含む複数種類からなる端子が一側面に延在するように配設されおり，該端子が前記電子機器収納装置の一側面側より露出するように構成してなる電子機器において，
前記電子機器収納装置は請求項１から請求項６の何れか一項に記載の電子機器収納装置であり，
該電子機器収納装置が縦置きに設置された場合に，前記Ｆ型接栓座を含む複数種類からなる端子が電子機器収納装置の略中央部より下方に配置されるように構成されており，更には，前記Ｆ型接栓座が，前記複数種類からなる端子の内でも最も下方位置であって，しかも，前記電子機器収納装置の下方端部から露出するように配設したことを特長とした電子機器。
【発明の詳細な説明】
【技術分野】
【０００１】
本発明は，電子機器を収納し該電子機器を縦置きにも横置きにも設置可能であるように構成された電子機器収納装置に関し，詳しくは何れの設置の方向においても放熱溝が閉塞されず効率よく放熱することができる電子機器収納装置，および，該電子機器収納装置に収納するのに好適な電子機器の構造に関する。
【背景技術】
【０００２】
従来，電子機器を縦置き横置きにも設置可能であるように構成された，筐体と縦置き用の支持部材としてのＵ字脚からなる電子機器収納装置において，電子機器による蓄熱を低減するために，筐体の適宜な位置に放熱穴や放熱溝を形成することによって，電子機器収納装置内部に空気が効率よく流入して，電子機器収納装置を横置きにしても縦置きにしても，電子機器より発生する熱を効果的に低減できるように構成されている。特に，電子機器収納装置を縦置きにする場合に用いる前記Ｕ字脚は，筐体に対して取り外し可能に挟持する一対の脚を備えると共に，該脚の底面には，空気流入口となる溝および窓が形成されており，前記脚でもって筐体の下部を挟持させて取り付けを行っても，空気は，前記溝，窓，筐体下辺にある放熱穴から流入し，筐体の上部に形成された放熱穴から抜け出すようになっており，Ｕ字脚が取り付けられることによって，筐体に形成された放熱穴などの一部が閉塞して空気の流れを悪くし，蓄熱の効率の低減を損なわないように構成されたものが提案されている。
（特許文献１参照）
また，更なる蓄熱の効率よい低減をするための前記Ｕ字脚の異なる実施例として，矩形状をした上下の面及びこの上下の面の各辺を結ぶ４つの側面を有し，前記４つの側面及び上面に開口が形成され内部に空間が設けられた枠体と，この枠体の前記上面部分の前記開口を挟んで設けられた１対の衝立部を備えた支持部材としての電子機器用スタンドが提供されている。
（特許文献２参照）
【０００３】
【特許文献１】特開２００４−４７８６９号公報
【特許文献２】特開平１０−１４５０５１号公報
【発明の開示】
【発明が解決しようとする課題】
【０００４】
しかし，特許文献１で示される従来の電子機器収納装置は，縦置きにする場合，支持部材としてのＵ字脚は筐体の下部を挟持することで取り付けるように構成されているので，筐体がＵ字脚に簡単に取り付けができても，容易に外れてしまわないようにしなければならない。つまり，脚を，例えば合成樹脂材のような弾性を有する材料で形成しておいて，筐体の下部を脚の上方から押し込むことで，筐体が脚を外方向に開くようにして装着され，更に筐体を押し込むことによって，脚の内側側面に形成された突起が，筐体の側面に形成された放熱穴と嵌合することによって取り付けが完了するのである。しかしながら，このような構成では，組み付けられた筐体は，脚の付勢力によって挟持されていることから，筐体の押し込みが簡単にでき，しかも，装着後の筐体が簡単に外れないような所定以上の付勢力を得るためには，脚が撓みやすくなるように，その高さをある程度高くする必要があるため，Ｕ字脚が大きくなるといった問題がある。また，筐体の装着時ばかりでなく装着後における長時間にわたる使用状態において，Ｕ字脚が簡単に変形してしまったり破損してしまったりしないようにその強度も強く，耐久性の高いものでなければならないといった問題が有った。
しかも，前記Ｕ字脚には，筐体に流入する空気の経路を確保するために，脚の底面に窓等を形成しているので，筐体への取付によってＵ字脚が撓むことによって変形してしまわないように，Ｕ字脚の強度を所定以上に保つ必要があり，そのためには窓の大きさをあまり大きくすることができなかった。逆に，空気の流入を増やすために窓を大きくする必要があるならば，Ｕ字脚の大きさ（例えば長手方向の寸法）を大きくして強度を増す必要があるといった問題があった。
また，
【０００５】
また，特許文献２で示される従来の電子機器用スタンドによれば，冷熱効果を更に高めるために，スタンドの基台となる部分が，矩形状をした上下の面及びこの上下の面の各辺を結ぶ４つの側面を有し，前記４つの側面及び上面に開口が形成され内部に空間が設けられた枠体と筐体の取り付け部である衝立部からなり，枠体に多くの開口を形成したことによリ，枠体が脆弱となるといった問題があった。これに対して，枠体に電子機器を支持するための剛性を持たせるため，枠体をたとえば金属材料等で形成したとすれば，枠体，延いては電子機器スタンドが重くなるしコストが高くなるといった問題がある。また，スタンドへの電子機器の取り付けは，衝立部の側方からビス等を電子機器に締着するといった周知の取付手段で取り付ける方法となり，その取り付けには手間がかかるといった問題も発生する。
また，スタンドを合成樹脂材のような弾性を有した材料で形成して，電子機器の支持を特許文献１に示すような衝立部に押し込むことによって挟持するように構成したとすると，電子機器の装着によって枠体が変形してしまわないよう，枠体の幅を広くしたり，開口の大きさを小さくしたりするなどの対策が必要となり，延いては，電子機器に対する空気の流入量や流入経路が制限されて効率の良い冷熱効果が得られなくなるといった問題が有った。
そこで本願においては，こうした問題点を解決するためになされたものであり，
その目的は，電子機器を収納し該電子機器を縦置きにも横置きにも設置可能であるよう，使用状態の汎用性を向上させることのできる電子機器収納装置を提供することにある。
他の目的は，縦置きでも横置きでも，何れの設置の方向においても放熱溝が閉塞されず効率よく放熱することができる電子機器収納装置の構造に関する。
他の目的は，簡単な構造で且つ軽量化を可能とする支持部材を備えた電子機器収納装置を提供することを課題とする。
他の目的は，ネジ止めなしで着脱自在に簡単且つ確実に取り付けすることができる支持部材を備えた利便性の高い電子機器収納装置を提供することを課題とする。
他の目的は，電子機器と接続するためのケーブル（特に，同軸ケーブル）等を装着した状態で，縦置きでも横置きでも安定して設置可能である電子機器収納装置を提供することにある。
他の目的は，以上に示す電子機器収納装置に適した電子機器を提供することにある。
【課題を解決するための手段】
【０００６】
上記課題を解決するために，請求項１の発明は，電子機器を収納し，該電子機器を縦置きにも横置きにも設置可能であるように構成された電子機器収納装置において，
少なくとも１対の側面とその上側に位置する上面とその下側に位置する底面のそれぞれに複数の放熱溝を有し，前記１対の側面のそれぞれには，該側面の上面と底面を結ぶ少なくとも一辺より，水平方向にそれぞれ同じ方向に向かって対向配置するように形成した嵌合溝を有した筐体と，
前記筐体の底面に対向配置される支持部と，該支持部の両側端部より前記一対の側面に沿うように立設し，その上端部に前記嵌合溝に係合及び案内される凸部を備えた衝立部とを有し，前記凸部を前記嵌合溝に係合することによって前記筐体に着脱自在に取り付け可能で，前記電子機器を卓上に縦置きに設置可能な支持部材と，
から成るように構成した。
【０００７】
請求項２の発明は，請求項１に記載の電子機器収納装置において，前記嵌合溝と少なくとも前記一対の側面に形成された放熱溝は略平行になるように形成するように構成した。
【０００８】
請求項３の発明は，求項１または請求項２の何れか一項に記載の電子機器収納装置において，前記支持部材を構成する支持部は，前記衝立部の上下方向における中間位置に有って前記支持部の下部と設置面との間に第１の間隙を有する凹部を形成すると共に，該支持部には支持部の上面と下面を貫通するように備えた１または複数の放熱穴若しくは放熱溝を有するように形成され，前記筐体の底面に形成された放熱溝と前記支持部に形成された放熱穴若しくは放熱溝と前記第１の間隙とが連通するように構成した。
【０００９】
請求項４の発明は，請求項３に記載の電子機器収納装置において，前記１対の衝立部のそれぞれには，衝立部の長手方向における中間位置に，前記支持体の下面から衝立部の底面に至る第２の間隙を有する凹部を少なくとも１つ形成し，該第２の間隙は前記第１の間隙と連通するように構成した。
【００１０】
請求項５の発明は，請求項３または請求項４の何れか一項に記載の電子機器収納装置において，前記電子機器を卓上に縦置きに設置する場合に，前記電子機器が安定して設置でき，且つ，前記筐体の底面に形成された放熱溝の一部若しくは何れもが前記支持部材を構成する前記支持部若しくは衝立部によって閉塞されないように，前記支持部材が前記筐体に対して決められた位置に正しく装着されたかどうかを判断するための位置決め嵌合手段が，前記嵌合溝と前記凸部に備えられているように構成した。
【００１１】
請求項６の発明は，請求項１から請求項５の何れか一項に記載の電子機器収納装置において，前記電子機器収納装置は，前記筐体と前記支持部材に加えて離隔部材を備えてなり，前記支持部材は，さらに衝立部の外側側面が，この外側側面の上側よりも下側の方が外側に突出する位置であって，前記１対の側面から所定寸法となるようにように傾斜しており，
前記離隔部材は，筐体の略中央部より上部に着脱自在に取り付け可能で，該離隔部材を取り付ける側面に対して直交する方向に，前記衝立部の下方における支持部材突出部の突出寸法と略等しい寸法の離隔部材突出部を備えるように構成した。
【００１２】
請求項７の発明は，請求項１から請求項６の何れか一項に記載の電子機器収納装置において，前記１対の側面の後方側に位置する後側面は，電子機器に取り付けられた電子機器の内部と外部を接続可能なＦ型接栓座を含む複数種類からなる端子が延在して露出するように構成されており，その配設位置は，前記電子機器収納装置が縦置きに設置された場合に，前記Ｆ型接栓座を含む複数種類からなる端子が電子機器収納装置の略中央部より下方に位置するように配設されており，更には，前記Ｆ型接栓座が，前記複数種類からなる端子の内でも最も下方位置であって，しかも，前記電子機器収納装置の下方端部から露出するように配設するように構成した。
【００１３】
請求項８の発明は，電子機器収納装置の内部に収納された電子機器であって，該電子機器の内部と外部を接続可能なＦ型接栓座を含む複数種類からなる端子が一側面に延在するように配設されおり，該端子が前記電子機器収納装置の一側面側より露出するように構成してなる電子機器において，
前記電子機器収納装置は請求項１から請求項６の何れか一項に記載の電子機器収納装置であり，
該電子機器収納装置が縦置きに設置された場合に，前記Ｆ型接栓座を含む複数種類からなる端子が電子機器収納装置の略中央部より下方に配置されるように構成されており，更には，前記Ｆ型接栓座が，前記複数種類からなる端子の内でも最も下方位置であって，しかも，前記電子機器収納装置の下方端部から露出するように配設するように構成した。
【発明の効果】
【００１４】
請求項１の発明によれば，電子機器を収納し，該電子機器を縦置きにも横置きにも設置可能であるように構成された電子機器収納装置において，少なくとも１対の側面とその上側に位置する上面とその下側に位置する底面のそれぞれに複数の放熱溝を有し，前記１対の側面のそれぞれには，該側面の上面と底面を結ぶ少なくとも一辺より，水平方向にそれぞれ同じ方向に向かって対向配置するように形成した嵌合溝を有した筐体と，前記筐体の底面に対向配置される支持部と，該支持部の両側端部より前記一対の側面に沿うように立設し，その上端部に前記嵌合溝に係合及び案内される凸部を備えた衝立部とを有し，前記凸部を前記嵌合溝に係合することによって前記筐体に着脱自在に取り付け可能で，前記電子機器を卓上に縦置きに設置可能な支持部材と，から成るように構成したので，
簡単な構成で，縦置きにも横置きにも対応可能で，しかも，縦置きの場合における支持部材の取り付けが簡単且つ確実に行える電子機器収納装置を提供できる。
【００１５】
請求項２の発明によれば，請求項１に記載の電子機器収納装置において，前記嵌合溝と少なくとも前記一対の側面に形成された放熱溝は略平行になるように形成するように構成したので，
放熱溝と嵌合溝とがデザイン的にも統合され，すっきりとしたものとすることができる。
【００１６】
請求項３の発明によれば，求項１または請求項２の何れか一項に記載の電子機器収納装置において，前記支持部材を構成する支持部は，前記衝立部の上下方向における中間位置に有って前記支持部の下部と設置面との間に第１の間隙を有する凹部を形成すると共に，該支持部には支持部の上面と下面を貫通するように備えた１または複数の放熱穴若しくは放熱溝を有するように形成され，前記筐体の底面に形成された放熱溝と前記支持部に形成された放熱穴若しくは放熱溝と前記第１の間隙とが連通するように構成したので，
電子機器を縦置きにした場合であっても，空気は，支持部の下方に形成される凹部から，支持部に形成された放熱溝，筐体の底面の放熱溝を介して筐体に流入し，更に流入した空気は，筐体の第１の側面，第２の側面，上面のそれぞれに形成された放熱から抜け出ることで，支持部材が組み付けられても空気の流入が妨げられることなく，すこぶる効率よく放熱できる電子機器収納装置を提供できる。
【００１７】
請求項４の発明によれば，請求項３に記載の電子機器収納装置において，前記１対の衝立部のそれぞれには，衝立部の長手方向における中間位置に，前記支持体の下面から衝立部の底面に至る第２の間隙を有する凹部を少なくとも１つ形成し，該第２の間隙は前記第１の間隙と連通するように構成したので，
電子機器を縦置きにした場合であっても，さらに空気の流入がよくなり放熱効果を一層高くすることができる電子機器収納装置を提供できる。
【００１８】
請求項５の発明によれば，請求項３または請求項４の何れか一項に記載の電子機器収納装置において，前記電子機器を卓上に縦置きに設置する場合に，前記電子機器が安定して設置でき，且つ，前記筐体の底面に形成された放熱溝の一部若しくは何れもが前記支持部材を構成する前記支持部若しくは衝立部によって閉塞されないように，前記支持部材が前記筐体に対して決められた位置に正しく装着されたかどうかを判断するための位置決め嵌合手段が，前記嵌合溝と前記凸部に備えられているように構成したので，
支持部材が正しい位置に組み付けられたかどうかの判断が容易にでき取り付けの誤りがなく，縦置きにする場合に電子機器を安定して設置できる。しかも，前記筐体の底面に形成された放熱溝の一部若しくは何れもが前記支持部材を構成する前記支持部等によって閉塞されないように，前記支持部材が前記筐体に対して決められた位置に正しく装着されるので，支持部材の取り付けても放熱効果を妨げることがないといった，すこぶる利便性の良い電子機器収納装置が提供できるのである。
さらに加えて，支持部材の取り付け開始から完了に至る過程において，前記位置決め嵌合手段における嵌合時に，支持部材には僅かに外方に撓むようにストレスが加わるものの，それ以外において負荷が一時的に若しくは継続的に加わることがないので，放熱効果を高めるために放熱溝を支持部等にたくさん形成したり，大きな開口を設けたりしても，支持部材の構成を簡単で，しかも信頼性の高いものにすることができる。また，例え，支持部材の構成が簡単であったとしても，支持部材は，その支持部と一対の衝立部と衝立部に備えた凸部とで筐体を抱持するように組み付けられることによって，その組み付けを確実に行うことができるのである。
【００１９】
請求項６の発明によれば，請求項１から請求項５の何れか一項に記載の電子機器収納装置において，前記電子機器収納装置は，前記筐体と前記支持部材に加えて離隔部材を備えてなり，前記支持部材は，さらに衝立部の外側側面が，この外側側面の上側よりも下側の方が外側に突出する位置であって，前記１対の側面から所定寸法となるようにように傾斜しており，
前記離隔部材は，筐体の略中央部より上部に着脱自在に取り付け可能で，該離隔部材を取り付ける側面に対して直交する方向に，前記衝立部の下方における支持部材突出部の突出寸法と略等しい寸法の離隔部材突出部を備えるように構成したので，
離隔部材によって，例え，電子機器の近傍に本などが置かれても，本などが筐体に寄りかかることがなく，筐体と本などとの間に適宜な間隔が形成されることになり，これによって筐体に流入したり放出されたりする空気の流れが阻害されることがなく，放熱の効率が低減する事はない。しかも，離隔部材は着脱自在であるので，筐体の隣に置かれる物の寸法に合わせて，側面の上下の最適な位置に離隔部材の位置を変えることができるし，電子機器を横置きにした場合でも使用することができるので，電子機器の設置の場所を選ばない極めて汎用性及び信頼性の高い電子機器収納装置が提供できるのである。
【００２０】
請求項７の発明によれば，請求項１から請求項６の何れか一項に記載の電子機器収納装置において，前記１対の側面の後方側に位置する後側面は，電子機器に取り付けられた電子機器の内部と外部を接続可能なＦ型接栓座を含む複数種類からなる端子が延在して露出するように構成されており，その配設位置は，前記電子機器収納装置が縦置きに設置された場合に，前記Ｆ型接栓座を含む複数種類からなる端子が電子機器収納装置の略中央部より下方に位置するように配設されており，更には，前記Ｆ型接栓座が，前記複数種類からなる端子の内でも最も下方位置であって，しかも，前記電子機器収納装置の下方端部から露出するように配設するように構成したので，
接続される各種ケーブルが電子機器収納装置の略中央部より下方に位置することになり，しかも，接続される各種ケーブルのうちで，最も重いケーブルである同軸ケーブルが最下方に位置することになり，ケーブルの自重による引張り力が収納装置に加わる位置をできる限り低い位置にすることができ，縦置きにした場合の設置の安定性を高いものとすることができるのである。
【００２１】
請求項８の発明によれば，電子機器収納装置の内部に収納された電子機器であって，該電子機器の内部と外部を接続可能なＦ型接栓座を含む複数種類からなる端子が一側面に延在するように配設されおり，該端子が前記電子機器収納装置の一側面側より露出するように構成してなる電子機器において，
前記電子機器収納装置は請求項１から請求項６の何れか一項に記載の電子機器収納装置であり，
該電子機器収納装置が縦置きに設置された場合に，前記Ｆ型接栓座を含む複数種類からなる端子が電子機器収納装置の略中央部より下方に配置されるように構成されており，更には，前記Ｆ型接栓座が，前記複数種類からなる端子の内でも最も下方位置であって，しかも，前記電子機器収納装置の下方端部から露出するように配設するように構成したので，
接続される各種ケーブルが電子機器の略中央部より下方に位置し，しかも，接続される各種ケーブルのうちで，最も重いケーブルである同軸ケーブルが最下方に位置することになり，ケーブルによる引張り力が電子機器に加わる位置をできる限り低い位置にすることができ，縦置きにした場合の設置の安定性を高いものとすることができることから，縦置きにも横置きにも対応可能な電子機器収納装置に好適な電子機器が提供できる。
【発明を実施するための最良の形態】
【００２２】
以下に，本発明を具体化した実施形態の例を，図面を基に詳細に説明する。
図１は本発明の電子機器２を内部に収納した電子機器収納装置１の具体的な実施例を示す図であり，縦置きにした場合の斜視図である。図２は縦置きにした場合の説明図であり，（ａ）左側面図，（ｂ）右側面図，（ｃ）下面図，（ｄ）上面図である。図３（ａ）は支持部材１５を筐体３に取り付ける途中の状態を示す一部断面図であリ，（ｂ）は筐体３と支持部材１５の取り付けが完了した状態を示す一部断面図であリ，何れも図２（ａ）におけるＸ−Ｘ線から見た一部断面図である。（ｃ）は図２（ｄ）におけるＹ−Ｙ線から見た一部断面図である。図４は図３（ａ）から（ｂ）に至る過程における要部を拡大した説明図である。図５は縦置きにした場合の具体的な設置例を示す側面図である。図６（ａ）は横置きにした場合の正面図であり，（ｂ）は横置きにした場合の右側面図である。図７は本発明にかかる第２実施例を説明するための図であり，（ａ）は側面図，（ｂ）は正面図である。図８は離隔部材４０を説明するための図であり，（ａ）は上面図，（ｂ）は側面図，（ｃ）は正面図である。図９は第２実施例の具体的な使用例を説明するための図であり，（ａ）は第２実施例の使用例であり，（ｂ）は従来の使用例である。（ｃ）は横置きの場合の第２実施例である。
尚，以下の説明で方向を示す場合は，特に明示する場合を除いて，図１に示される状態を基準として説明する。
【実施例１】
【００２３】
図に１で示されるのは本発明に係る電子機器収納装置である。本発明の第１実施例における電子機器収納装置１は，図において２で示される電子機器を収納して縦置きにも横置きにも設置可能とするように構成されており，電子機器２を収納するための筐体３と，前記筐体３に着脱自在に取り付け可能で，前記電子機器２を卓上に縦置きに設置可能な支持部材１５から構成されている。
尚，本発明に係る実施例に示される電子機器２は，ＣＡＴＶシステムにおいて用いられるセットトップボックス（ＳＴＢ）の例を示したのであるが，特に，この実施例に限定されるものではなく，例えば，ディジタル放送受信用のディジタルチューナや，ケーブルモデムやルータなどのネットワーク機器，テレビ受信機器等で，縦置きにも横置きにも設置可能にすることによって利便性を得られるものなら何れの用途の電子機器においも利用可能である。
【００２４】
先ず，図１および図２を用いて筐体３の具体的に実施例に付いて詳しく説明する。本発明の実施例における筐体３は，例えば合成樹脂材を金型成形して形成したものであり，電子機器２を内部に収納できるような空間を有した略４角形状の箱体からなる。
図１における右手前に示される筐体３の側面４（以下，第１の側面４と記載する。）とこの側面４に対向する側面５（以下，第２の側面５と記載する。）には，筐体３の内部に収納した電子機器２によって蓄熱された熱を放熱するための複数の放射溝４ａ，５ａがそれぞれ適宜の間隔を保つようにして形成されている。加えて，第１の側面４及び第２の側面５には，筐体の側面の図１における左手前の側面８（以下，後面８と記載する）側の端面に凹状に開口するように形成された嵌合溝口部１０ｂから嵌合溝終端部１０ｃに向かって水平方向に形成された嵌合溝１０が対向配置するように形成されている。
この嵌合溝１０は，これ以降に詳述する，電子機器２を縦置きする場合に用いる支持部材１５を取り付けるためのものであリ，本発明の第１実施例では，この嵌合溝１０と前記放熱溝４ａ，５ａは略平行になるように配設することによって，嵌合溝１０と放熱溝４ａ，５ａがデザイン的にも統合され，すっきりとした外観となっている。尚，この嵌合溝１０は筐体３の後面８側から終端部１０ｃに向けて所定の長さを有するように形成した例を示したが，後面８から該後面８と対向する前面９まで連通するように形成して，支持部材１５を筐体３の後方側からでも前方側からでも取り付け可能にできるようにしても良い。
【００２５】
筐体３の上面６及び底面７には，放射溝６ａ及び７ａが形成されている。この実施例では，放射溝６ａ，７ａは前記第１の側面４と第２の側面５からなる一対の側面に形成した放射溝４ａ，５ａの形成方向に対して直交する方向で，一方が上面６及び底面７の中心部に向かう方向に，他方は放射溝の一部を第１の側面４及び第２の側面５それぞれの上端部及び下端部にかかるように形成されている。
【００２６】
前記後面８は，電子機器２の後面２ａに延在するように設けられたコネクタ等の端子類が露出するように開口８ａが形成されている。
本発明の実施例では，電子機器２はセットトップボックスである例を示しているので，電子機器２にはこれに対応するような端子が備えられている。つまり，２１はケーブル入力端子，２２はケーブル出力端子であり，何れも同軸ケーブルに対応したＦ型接栓座である。２３，２４はＡＶコード接続用のＰＩＮコネクタであり，このセットトップボックス２はＡＶ出力が２系統備えられている。２５はディジタル対応テレビとセットトップボックス２を，Ｄ端子ケーブルを介して接続するためのＤ端子である。２６はＣＡＴＶセンター局等とセットトップボックス２を，電話線を介して接続するための電話接続端子であリ，２８はセットトップボックスに電源供給するための電源端子である。
また，２７は放送事業者が顧客情報の管理や番組ごとの視聴制限，著作権保護等を行うためのＣＡＳ（Ｃｏｎｄｉｔｉｏｎａｌ  Ａｃｃｅｓｓ  Ｓｙｓｔｅｍ）カードの挿入口である。
【００２７】
次に，本発明の電子機器収納装置１を構成する支持部材１５の具体的な実施例を，図１を使って説明する。
図１に示されるように，本発明の支持部材１５は，例えば，合成樹脂材を金型によって成形したものであり，前記筐体３に形成された嵌合溝１０に対して係合することによって，電子機器２を縦置きに卓上に設置可能にするためのものである。本発明の実施例では，支持部材１５は，上面側が前記筐体３の底面７の形状に対応する形状に形成され，前記底面７に対向するように配置された支持部１６と，該支持部１６の両側端部より前記一対の側面４，５に沿うように立設し，その上端部には前記嵌合溝１０に係合及び案内される凸部１８を備えた衝立部１７とを有してなり，前記凸部１８を前記嵌合溝１０に係合することによって，前記筐体３に着脱自在に取り付け可能に形成されている。
【００２８】
少なくとも前記支持部１６には，この支持部１６の上面から下面に貫通するように形成された１または複数の放熱孔若しくは放熱溝１６ａ（実施例では放熱溝。以下放熱溝１６ａの例で説明する。）が形成されている。この放熱溝１６ａは，支持部材１５を筐体３に取り付けたときに，筐体３の底面７に形成された放熱溝７ａを完全に閉塞してしまわない位置に対向するように形成するようにされている。尚，複数の放熱溝１６ａを連通して１つの大きな開口を形成しても良い。
加えて，前記支持部１６は，図１に示すように前記衝立部１７の上下方向における中間位置に備えるような構成にして，前記支持部１６の下部と図には示されていない設置面との間に第１の間隙Ｇ１を有する凹部１６ｂを形成するようにすれば，前記筐体３の底面に形成された放熱溝７ａと前記支持部１５に形成された放熱溝１６ａと前記第１の間隙Ｇ１を有する凹部１６ｂとが連通することで，空気は，凹部１６ｂ，放熱溝１６ａ，放熱溝７ａを介して筐体３に流入し，更には，空気は，第１の側面４，第２の側面５，上面６のそれぞれに形成された放熱溝４ａ，５ａ，６ａから抜け出ることで，支持部材１５により妨げられることなく流れ，この結果，すこぶる効率よく放熱できるのである。
尚，電子機器２が特別に放熱を必要としないなら凹部１６ｂはなくても良い。またこの場合，支持台１６に形成された放熱溝もなくても良いが，支持部材１５の軽量化のために開口しても良い。
【００２９】
前記衝立部１７は，その外側側面が，この外側側面の上側よりも下側の方が外側に突出する位置であって，前記１対の側面から所定寸法となるようにように傾斜するように形成されており，これによって，縦置きにした場合の設置の安定性を高めることができる。また，電子機器２を壁面等に近接して設置するような場合に，電子機器２による蓄熱の効率の良い低減を損なわないように，前記第１の側面４（若しくは第２の側面）と壁面との離隔寸法を適宜な寸法に保つことができるよう，衝立部１７の下方の突出寸法を所定の寸法に決めておけば，衝立部１７の下方が壁面等に接しても，壁面と側面４（若しくは５）との間に適宜な間隙が形成され，側面に形成された放熱溝４ａ（若しくは５ａ）からの排出される空気の流れが妨げられることがなく，効率よく放熱できるのである。
加えて，前記１対の衝立部１７のそれぞれには，衝立部１７の長手方向における中間位置に，前記支持体１６の下面から衝立部１７の底面に至る第２の間隙Ｇ２を有する凹部１７ｂを少なくとも１つ形成し，該第２の間隙Ｇ２の凹部１７ｂは前記第１の間隙Ｇ１の凹部１６ｂと連通するようにすれば，さらに空気の流入がよくなり放熱効果を高くすることができる。尚，この凹部１７ｂはなくても良い。
さらに，衝立部１７の上部にはそれぞれ内方向に突出するように形成された凸部１８が形成されており，図１に良く示されるように，この凸部１８と嵌合溝口部１０ｂに対向させながら，支持部材１５を矢印Ａ方向（若しくは，筐体３を支持部材１５）に押し付けることで，筐体３に形成された前記嵌合溝１０に係合および案内されて組み付けられるのである。
尚，支持部材１５は図に示されるように対称に形成されており，筐体３に取り付ける場合に，支持部材１５の取り付け方向を選ばない構成になっている。
【００３０】
ここで，筐体３と支持部材１５の組み付けについて図３及び図４を用いて説明する。図３（ａ）は筐体３を支持部材１５に取り付ける途中の状態を示す一部断面図であリ，（ｂ）は筐体３と支持部材１５の取り付けが完了した図であり，何れも図２（ａ）におけるＸ−Ｘ線から見た一部断面図である。（ｃ）は図２（ｄ）におけるＹ−Ｙ線から見た一部断面図である。図４は筐体を支持部材に取り付ける過程を詳細に示す図であり，図２（ａ）におけるＸ−Ｘ線から要部を拡大してみた一部断面図である。
先ず，支持部材１５に備えた凸部１８と，嵌合溝１０の嵌合溝口部１０ｂを対向させながら，凸部１８を嵌合溝１０に係合させる。そして，さらに支持部材１５を図３（ａ）の矢印Ａ方向に押し込むことで，前記凸部１８は前記嵌合溝１０に案内されながらさらに奥に向かって進む。そして，凸部１８が，嵌合溝１０の終端部１０ｃに当接するまで押し込むことによって図３（ｂ）に示すように取り付けが完了する。この結果，支持部材１５は，図３（ｃ）に示すように，支持部材１５の支持部１６と一対の衝立部１７と衝立部１７に備えた凸部１８とで筐体３を抱持するように組み付けられるのである。
さらに加えて，筐体３に形成された嵌合溝１０の終端部１０ｃの近傍には筐体３と一体に，筐体３の外方向に向かって突出するように形成された突起部１０ａが形成され，また，支持部材１５に備えられた凸部１８の先端部には切欠部１８ａが形成されていることによって，支持部材１５が筐体３に正しく取り付けられた（完全に押し込まれた）状態では，前記突起部１０ａは前記切欠部１８ａに嵌め込まれるように対向配置される。
【００３１】
この嵌合に至る状態を図４の要部拡大図を用いて説明する。図４（ａ）に示されるように，嵌合溝１０によって矢印Ａ１方向に案内された凸部１８は，先ず，凸部１８の前端部１８ｃが筐体３に形成された突起部１０ａと当接する。さらに支持部材１５を図４（ｂ）に示すように矢印Ａ２方向に押し込むと，突起部１０ａによって衝立部１７が外（矢印Ｂ）方向に僅かに撓むことによって，凸部１８は突起部１０ａを乗り越える。さらに支持部材１５を，凸部１８の前端部１８ｃが嵌合溝１０の終端部１０ｃに当接するまで押し込むと，図４（ｃ）に良く示されるように，嵌合溝１０の突起部１０ａが支持部材１５の凸部１８に形成された切欠部１８ａと嵌合することで，支持部材１５は筐体３に正しく取り付けられると共に，支持部材１５は筐体３にロックされ，一般的な使用状態において簡単には外れないように組み付けが完了するのである。また，支持部材１５を取り外す場合は，取り付けの逆の手順で行えばよく，所定の力で支持部材１５（若しくは，筐体３）を引っ張ることで，嵌合溝１０の突起部１０ａと支持部材１５の突部１８に形成された切欠部１８ａとの嵌合を解除することができる。即ち，本発明の支持部材１５は，筐体３に対して容易に着脱自在に取り付けができるのである。
尚，本発明に実施例では，前記嵌合溝１０の突起部１０ａ，終端部１０ｃ及び前記支持部材１５の突部１８に形成された切欠部１８ａとで請求項に記載の位置決め嵌合手段を構成している。
【００３２】
本発明に係る電子機器収納装置１によれば，前記位置決め嵌合手段を備えたことによって，支持部材１５の組み付けが簡単且つ正確に行えることで，前記電子機器２は縦置きでも安定して設置でき，しかも，前記筐体３の底面７に形成された放熱溝７ａの一部若しくは何れもが前記支持部材１５を構成する前記支持部１６によって閉塞されないように，前記支持部材１５が前記筐体３に対して決められた位置に正しく装着されるので，放熱効果を妨げることのないすこぶる利便性の良いものとすることができるのである。さらに加えて，本発明にかかる支持部材１５は，取り付け開始から完了に至る過程において，前記位置決め嵌合手段における嵌合時に，僅かに外方に撓むようにストレスが加わるものの，それ以外において一時的にも継続的にも，支持部材１５には負荷が加わることがないので，放熱効果を高めるために放熱溝１６ａをたくさん形成したり，大きな開口を設けたりしても，支持部材１５の構成が簡単にできるし，しかも，簡単であっても信頼性の高いものにすることができる。また，例え，支持部材１５の構成が簡単であったとしても，支持部材１５は，その支持部１６と一対の衝立部１７と衝立部１７に備えた凸部１８とで筐体３を抱持するように組み付けられることによって，その組み付けは確実に行うことができるのである。
【００３３】
ここで，縦置きの場合の具体的な使用例について図５を用いて説明する。設置面５０に置かれた電子機器収納装置１に収納された電子機器２が備えた端子類は，筐体３の後面（図における右側面）から露出している。これらは，前述のように複数種類の端子から構成されており，それぞれ端子に対応する各種ケーブル等が接続されており，図５に示されるように，Ｆ型接栓座２１，２２はテレビ信号伝送用の同軸ケーブル３１，３２が，ＰＩＮコネクタ２３，２４には映像，音声信号用のＡＶケーブル３３，３４が，Ｄ端子２５にはテレビと接続するためのＤ端子ケーブル３５が接続される。加えて，図には示されていないが，電話との接続ケーブルやＡＣアダプターの電源コード等が接続される。
従って，図からも容易に分かるように，電子機器２を収納した電子機器収容装置１には，前記複数のケーブルによって後方（図における右方向）側に向かって引っ張られる力が加わることになる。特に図に示すような設置状態であれば，ケーブルが下方に向かって垂れ下がる分，更にケーブルの重量が加わって，後方斜め下矢印方向に向かって，より大きな引っ張り力が加わることになリ，縦置きにした場合の設置の安定性が損なわれることになる。
【００３４】
本発明の実施例では，このような状態であっても，電子機器２を安定して設置するために，電子機器２に取り付けられた電子機器２の内部と外部を接続可能なＦ型接栓座２１，２２を含む複数種類からなる端子が一側面に延在するように備えられた電子機器２にあっては，前記電子機器収納装置１が縦置きに設置された場合に，前記Ｆ型接栓座２１，２２を含む複数種類からなる端子の配設位置が，電子機器収納装置１の略中央部より下方に位置するように配設し，更には，前記Ｆ型接栓座が，前記複数種類からなる端子の内でも最も下方位置であって，前記電子機器収納装置１の下方端部から露出するように配設することによって，接続される各種ケーブルのうちで，最も重いケーブルである同軸ケーブル３１，３２が最下方に位置するように構成し，ケーブルによる引張り力が収納装置１に加わる位置をできる限り低い位置にすることで，縦置きにした場合の設置の安定性を高いものとすることができるのである。
【００３５】
本発明にかかる電子機器収納装置１を横置きにした状態の例を図６に示す。図６において，（ａ）は横置きの場合の正面図であり，（ｂ）は横置きの場合の右側面図である。この実施例では，筐体３の前面９は電子機器２に対する操作部９ａが備えられており，例えば電源スイッチやチャンネル選択ボタン等からなる。このような横置きの場合は，筐体３の第２の側面に図２（ｂ）に示されるような支持脚１１が備えられていることで，筐体３は，前記第２の側面５が底面，前記第１の側面４が上面，縦置きの場合の前記上面６及び前記底面７がそれぞれ側面となるように配設され，前記第２の側面５は設置面５０に対して支持脚１１の高さの間隙を有するように設置されることになるので，空気は，底面となる側に位置する放熱溝５ａ及び側面となる側の下側に位置する放熱溝６ａ，７ａから流入し，筐体３内部を経由して，側面となる側の上側に位置する放熱溝６ａ，７ａ及び上面となる側に位置する放熱溝４ａから抜け出ることで，筐体の横置きの場合であっても，その放熱効率は損なわれることがない。
【００３６】
以上，本発明の第１実施形態の電子機器収納装置１によれば，電子機器２を縦置きにする場合に用いる支持部材１５を，筐体３に取り付ける場合は，嵌合溝１０に沿って押し込むだけで取り付けができるので簡単にできる。しかも，支持部材１５は筐体３を挟持して保持する構成ではないので，取り付けに際して，支持部材１５を大きく撓ませたりすることがなく，この点においても取り付けが簡単にできるのである。また，支持部材１５を大きく撓ませる必要がないことで，支持部材１５の強度をそれほど強くする必要がなくなるので，支持部材１５は支持台１６に多くの放熱溝や大きな放熱窓を備えさせても，支持部材１５の強度を得るために大型化する必要もなく，簡単な構造で且つ小型にすることができるのである。
そして，支持部材１５の組み付け後は，支持部材１５が筐体３の下部を抱持するように組み付けられるので，組み付け後に，支持部材１５に対してストレスが加わらない構成となっているので，支持部材１５の構造が簡単であっても，筐体３は支持部材１５に対して確実に組み付けられるし，長期の使用にも耐えうる信頼性の高いものとなっているのである。
加えて，既に説明したように，位置決め嵌合手段を備えたことによって，支持部材１５の組み付けが正確に行え，これによって前記電子機器２が安定して設置できるばかりでなく，前記筐体３の底面７に形成された放熱溝７ａの一部若しくは何れもが前記支持部材１５を構成する前記支持部１６によって閉塞されないように，前記支持部材１５が前記筐体３に対して決められた位置に正しく装着され，放熱効果を妨げることのないと言った，すこぶる利便性の良い電子機器収納装置１が提供できるのである。また，横置きにする場合でも，支持部材１５の取り外しは容易にできるし，放熱の効果もすこぶる良好な電子機器収納装置１が提供できるのである。
【実施例２】
【００３７】
次に本発明の第２の実施形態を図７から９を参照して説明する。尚，以下の説明では，上記第１の実施形態の電子機器収納装置１と同様の構成要素については同一符号を付与し，詳細な説明は省略する。
【００３８】
この第２実施例では，前記第１実施例に加えて，図７に示されるように，第１の側面４及び第２の側面５に，図における４０で示される離隔部材を備えさせたものである。この離隔部材４０は図７に示されるように，第１の側面４，第２の側面５に対して着脱自在に取り付けられように構成されており，本発明の第２実施例の図では，筐体３の上部と筐体３の略中央部に取り付けられるように構成された例が示されている。また，離隔部材４０は，第１の側面４及び第２の側面５の両方に取り付けてもよいし，一方の側面だけに取り付けても良いように，選択的に取り付けができるように構成されている。
【００３９】
ここで，本発明にかかる離隔部材４０の具体的な例の詳細について図８を用いて説明する。離隔部材４０は，合成樹脂材等を金型で成形したものであり，水平方向に長手方向を有する基部４０ａと，該基部４０ａの両端部に基部４０ａの長手方向に直交する方向に突設した突起部４１，４１が基部４０ａと一体的に備えるように構成されている。更に，基部４０ａの両端からは，前記突起部４１の突設方向とは反対方向に，筐体３に取り付ける為の係止片４２，４２が基部４０ａと一体的に形成されている。このように形成された離隔部材４０は，筐体３の第１の側面４および第２の側面５に形成された図７に示される取付孔１４，１４に対して，離隔部材４０の係止片４２，４２を矢印Ｃ方向に差し込むことで係止されて，筐体３に着脱自在に組み付けられるのである。
本発明の実施例では，離隔部材４０を組み付けることによって，空気の流れを妨害しないように，離隔部材４０は放熱溝にかからない位置に取り付けられており，さらに，前記突起部４１の突設寸法は，前記支持部材１５を構成する衝立部１７の突設寸法と略等しくなるように形成されると共に，２つ突起部４１は分散して形成してあリ，離隔部材４０の基部４０ａの短辺幅は，放熱溝にかからない寸法に形成されている。尚，離隔部材４０によって空気の流れを妨害しないなら実施例の形状に限定されるものではない。また，本発明の実施例では，離隔部材４０が筐体３の上部及び略中間位置に取り付けができるように，取付孔１４が形成されているが，離隔部材４０の取り付け位置は，特にこの実施例に限定されるものではなく，一箇所であっても良いし，必要とする個所の２箇所以上に選択的に取り付けられるようにしても良い。
【００４０】
ここで，この第２実施形態にかかる離隔部材４０の効果について図９を用いて説明する。図９は第２実施例の具体的な使用例を説明するための図であり，（ａ）は第２実施例の使用例であり，（ｂ）は従来の使用例である。（ｃ）は横置きの場合の第２実施例である。
縦置きにした場合において，電子機器２を壁面等に近接しておく場合は，既に述べたように，支持部材１５を構成する衝立部１７の下方の側面が，電子機器２と壁面２との間に適宜な間隔を保つためのスペーサー的な役割がなされるのであるが，例えば，図９（ｂ）の従来例のように，電子機器２に近接するように本（図においてＢＯＯＫで示される）等が設置される状況を考えると，本が筐体３に凭れ掛ることによって，側面に形成された放熱溝の，特に上方に形成された放熱溝が閉塞されたり，適切な間隔が得られなかったりして，空気の流れが悪くなることによって，放熱の効果が低減して，電子機器２等の信頼性が低下してしまう要因となる。
【００４１】
そこで本発明にかかる第２実施例では，このような状況にも対応できるように，離隔部材４０を備えさることができるように構成したものであり，図９（ａ）に良く示されるように，離隔部材４０によって，例え，電子機器２の近傍に本などが置かれても，本などが寄りかかることがなく，筐体３と本などとの間に適宜な間隔が形成されるので，空気の流れが阻害されることがなく放熱の効率が低減する事はない。しかも，離隔部材４０は着脱自在であるので，筐体３の隣に置かれる物の寸法に合わせて，側面の上下の最適な位置に離隔部材４０の位置を変えることができるし，取り付ける側面を選択することもできるので極めて汎用性の高い電子機器収納装置１が提供できるのである。
図９（ｃ）に示されるように，横置きの場合であっても，壁面等から離隔したい場合は，側面に取リ付けるようにすればよい。
尚，この離隔部材４０は，製品の出荷時点で予め組み付いた状態で出荷しても良いし，付属品として同梱するようにしても良い。
本発明は上記実施の形態に限定されるものではなく，本発明の趣旨を逸脱しない範囲で各部の構成を適宜に変更して実施することも可能である。
【図面の簡単な説明】
【００４２】
【図１】本発明の電子機器２を内部に収納した電子機器収納装置１の具体的な実施例を示す図であり，縦置きにした場合の斜視図である。
【図２】縦置きにした場合の（ａ）左側面図，（ｂ）右側面図，（ｃ）下面図，（ｄ）上面図である。
【図３】図３（ａ）は筐体３を支持部材１５に取り付ける途中の状態を示す一部断面図であリ，（ｂ）は筐体３と支持部材１５の取り付けが完了した状態を示す一部断面図であリ，何れも図２（ａ）におけるＸ−Ｘ線から見た一部断面図である。（ｃ）は図２（ｄ）におけるＹ−Ｙ線から見た一部断面図である。
【図４】は図３（ｂ）の要部を拡大した説明図である。
【図５】縦置きにした場合の具体的な設置例を示す側面図である。
【図６】（ａ）は横置きにした場合の正面図であり，（ｂ）は横置きにした場合の右側面図である。
【図７】本発明にかかる第２実施例を説明するための図であり，（ａ）は側面図，（ｂ）は正面図である。
【図８】離隔部材４０を説明するための図であり，（ａ）は上面図，（ｂ）は側面図，（ｃ）は正面図である。
【図９】第２実施例の具体的な使用例を説明するための図であり，（ａ）は第２実施例の使用例であり，（ｂ）は従来の使用例である。（ｃ）は横置きの場合の第２実施例である。
【符号の説明】
【００４３】
１…電子機器収納装置，２…電子機器，３…筐体，４…第１の側面，４ａ…放熱溝，５…第２の側面，５ａ…放熱溝，６…上面，６ａ…放熱溝，７…底面，７ａ…放熱溝，８…後面，８ａ…開口，９…前面，９ａ…操作部，１０…嵌合溝，１０ａ…突起部，１０ｂ…嵌合溝開口，１０ｃ…嵌合溝終端，１１…支持脚，１４…取付孔，１５…支持部材，１６…支持部，１６ａ…凹部（第１の間隙），１７…衝立部，１７ａ…凹部（第２の間隙），１８…凸部，１８ａ…切欠部，２０…，２１…Ｆ型接栓座，２２…Ｆ型接栓座，２３…ＰＩＮコネクタ，２４…ＰＩＮコネクタ，２５…Ｄ端子コネクタ，２６…電話接続端子，２７…ＣＡＳカード挿入口，２８…電源端子，３１…同軸ケーブル，３２…同軸ケーブル，３３…ＡＶコード，３４…ＡＶコード，３５…Ｄ端子ケーブル，３６…，３７…，３８…，３９…，４０…離隔部材，４０ａ…基部，４１…突起部，４２…係止片，５０…設置面。
【図１】
2008311330.tif 000003
【図２】
2008311330.tif 000004
【図３】
2008311330.tif 000005
【図４】
2008311330.tif 000006
【図５】
2008311330.tif 000007
【図６】
2008311330.tif 000008
【図７】
2008311330.tif 000009
【図８】
2008311330.tif 000010
【図９】
2008311330.tif 000011